(57)【要約】【課題】本発明は、色合わせ遊びと形遊びを可能とした従来にない立体パズルを実現することを課題とする。【解決手段】本発明は、正四面体１個と直角三角錐４個からなる立方体の基本キューブを８組使用した立体パズルで、基本キューブの回転構造と屈曲構造を組み合わせることで色合わせ遊びや形遊びが可能になり、完成した立方体の中に星形二重正四面体構造（メタトロン立体）が目視できるという従来にない立体パズルであり、パーツとして正四面体や三角錐を用いるが、基本キューブは立方体であるため誤って部品に体重を掛けた場合でも比較的安全で、子供から大人まで楽しめる立体パズルとなる。【選択図】図１
2019022543.tif 000002
【特許請求の範囲】
【請求項１】
正四面体１個とその各面の正三角形と同一寸法の底面を持つ直角三角錐４個が、回転可能な構造で組み合わせてできた立方体である基本キューブ８組を、任意の場所で粘着テープ等により屈曲可能に結合させることで可変する立体パズル。
【請求項２】
前記直角三角錐の各面に任意の模様や色をつけることより、完成した立方体の色合わせが可能な請求項１の立体パズル
【請求項３】
前記直角三角錐素材部分を透明または半透明素材あるいは枠だけの構造を用いることにより、星形二重四面体構造を外部から目視できる立方体を完成できる請求項１の立体パズル。
【発明の詳細な説明】
【技術分野】
【０００１】
本発明は立体パズルに関する。特に変形可能な立体パズルで、完成時に立方体の中に、星形二重正四面体構造（メタトロン立体）を内包する色合わせ立体パズルに関する。
【背景技術】
【０００２】
現在までに知られているルービック型パズルは、色合わせ遊びができるが自由に変形できるものは少なく、完成にはある程度の練習や解法が必要な場合がほとんどでパズルとして比較的難しく、また完成した立方体は各面の色や模様があるが、見た目はあまり変わらないものが多い。
【０００３】
また正四面体や直角三角錐をパズルのブロックとして利用する場合、尖っているので子供が扱うのには危険がある。
【先行技術文献】
【特許文献】
【０００４】
【特許文献１】特開平5−3962
【特許文献２】特開2010-17518
【特許文献３】特開2004-8679
【発明の概要】
【発明が解決しようとする課題】
【０００５】
本発明は、基本キューブの回転構造と屈曲構造を組み合わせた形遊びも可能な立体パズルで、比較的に簡単に色合わせ遊びも可能で、さらに、透明または半透明素材を用いることで、完成立方体の中に、星形二重正四面体構造(メタトロン立体）を内包し、安全性も比較的高く、従来にない色合わせ立体パズルを実現することを課題とする。
【課題を解決するための手段】
【０００６】
本発明は、正四面体であるＡパーツ１を１個と、透明または半透明素材の直角三角錐であるＢパーツ２を４個からなる立方体の基本キューブ３を８組使用した、可変する色合わせ立体パズルである。
【０００７】
基本キューブ３を形成する、Ａパーツ１である正四面体の各面の正三角形と、４個のＢパーツ２の直角三角錐の底面は合同で、それぞれが接することで基本キューブの立方体を形成するが、Ａパーツ１と各Ｂパーツ２は、その正三角形の中心を軸に、互いが回転する構造になっている。（回転構造）
【０００８】
基本キューブ３は８組使用するが、任意の場所で、隣り合う基本キューブと、キューブ結合用粘着テープ４で屈曲可能に連結する。（屈曲構造）
【０００９】
基本キューブ３を形成するＢパーツ２は透明または半透明の素材か、枠だけの中空などの構造により、基本キューブに内包されるＡパーツ１の正四面体は、外側から目視できるようになっている。これにより完成立方体５に正四面体の組み合わせでできた星形二重正四面体構造（メタトロン立体）が目視できるようになる。
【００１０】
さらに、各Ｂパーツ２の各側面は、色ラインや、半透明シール、模様などで任意の色付けがしてあり、内包するＡパーツ１の正四面体が目視可能でありながら、色合わせや模様をそろえて遊ぶことが可能な立体パズルになっている。
【発明の効果】
【００１１】
本発明は色合わせ遊びによって完成した立方体の中に星形二重正四面体構造（メタトロン立体）が目視できるという従来にない立体パズルでありながら、基本キューブの回転構造と屈曲構造を組み合わせることで、パズル自体を様々な形に変形する形遊びも可能となり、また正四面体と直角三角錐をパーツにするが、これらを組み合わせてできた立方体を基本キューブとするので、誤って部品に体重を掛けた場合でも比較的安全であり、子供から大人まで楽しめる立体パズルとなる。
【発明を実施するための形態】
【００１２】
以下、本発明の実施の形態を実施例に基づき図面を参照して説明する。
【００１３】
図１は、本発明の概要を表しており、（a）は本発明の基本キューブ３の構造、（b）は基本キューブ３を８組連結したスタート図、（c）、（d）は本発明の動きを表し、（e）が完成図の完成立方体５である。
【００１４】
図１の（a）は、本発明の基本キューブ３の構造を表しており、正四面体であるＡパーツ１を１個と、透明または半透明素材の直角三角錐であるＢパーツ２を４個組み合わせて出来た立方体であり、Ａパーツ１とＢパーツ２は接する正三角形の中心を軸に回転する構造になっている。
【００１５】
図１の（b）は本発明のスタート図の一例であり、基本キューブ３を８組使用し、隣り合う基本キューブと、キューブ結合用粘着テープ４で屈曲可能に連結している。
【００１６】
図１の（c）、（d）は本発明の動きを表し、回転構造と屈曲構造によって変形と色合わせ遊びが可能である様子を表している。
【００１７】
図１の（e）は本発明の完成図の完成立方体５であり、Ｂパーツに透明または半透明素材を用いることで、Ａパーツ１が外側から目視できるので、完成立方体５の中に、Ａパーツ１が組み合わさって出来た星形二重正四面体構造(メタトロン立体）を目視できる。
【００１８】
図２は、本発明の回転構造を表している。
【００１９】
図２の（a）は基本キューブを構成する正四面体であるＡパーツ１が１個と、直角三角錐であるＢパーツ４個の位置関係と回転構造を表しているが、Ａパーツの各面の正三角形とＢパーツの底面の正三角形は合同になっており、Ａパーツの正三角形の中心部７はＢパーツの底面の中心部８は、軸および留め具６により結合しており、これにより互いに回転する構造となる。
【００２０】
図２の（b）はＡパーツとＢパーツの結合部の断面図であるが、Ａパーツの正三角形の中心部７とＢパーツの底面の中心部８が、軸および留め具６により結合しており、これによりＡパーツとＢパーツは左右どちらの向きにも回転する構造となる。
【００２１】
図２の（ｃ）は基本キューブのＢパーツのひとつが回転している様子であるが、Ｂパーツの各側面は任意に色付けされてありながら、透明または半透明の素材でできており、Ａパーツが外側から目視でき、また回転しているＢパーツ以外のＢパーツは、回転しているＢパーツにより回転を制限されるため、構造上同時に回転することはできない。
【００２２】
図３は基本キューブ３の回転構造による色の組み合わせの変化を表すため、わかりやすいようにＢパーツを非透視図で表しているが、（a）、（b）、（c）とＢパーツが三分の一回転するごとに、基本キューブ３の各面の色の組み合わせが変化し、一回転すると元の組み合わせに戻る。
【００２３】
図４は２組の基本キューブの屈曲構造を表しているが、（a）は基本キューブ３をお互いに、キューブ結合用粘着テープ４と屈曲可能に連結し、このときテープが回転構造を妨げないようになっており、（b）では屈曲によって位置関係が変化し、それにより一方向から見える色の組み合わせも変わる様子を表している。
【００２４】
図５は２組の基本キューブが屈曲と回転する様子を表しており、（a）は回転させたい位置を表しているが、回転しようとしても他のパーツが妨げるので、（b）のように先に回転が妨げられない角度まで屈曲することで回転可能となり、Ｂパーツ２を三分の一だけ回転させ、そして元の位置関係に屈曲すると、一方向から見える色の組み合わせが変化する様子を表している。
【００２５】
図６は連結した４組の基本キューブが回転構造により全体が変形することを表しており、（a）は回転させたい位置を表しているが、回転しようとしても他のパーツが妨げるので、（c）のよう回転が妨げられない角度まで屈曲することで回転可能となり、（d）、（e）では対象の部分を三分の一だけ奥側に回転させ、そして元の位置まで屈曲を戻すと、（ｆ）では全体の形が変化することがわかる。
【００２６】
図７は図６と同様に、連結した４組の基本キューブが回転構造により全体が変形することを表しているが、（a）から（c）までは図６と同じであるが、（e）では三分の一だけ回転するとき、図６では奥側の方向だったが図７では手前側の方向に回転させると（ｆ）において全体の形が変化するが、図６の（ｆ）場合と違う位置関係になるのがわかる。
【００２７】
図８は完成立方体５における基本キューブ３の位置関係を表しており、完成立方体では、隣り合う基本キューブ同士が鏡像関係になることで、星形二重正四面体構造（メタトロン立体）が内包されるようになる。
【００２８】
図８の（a）は２組の基本キューブ３が鏡像関係になる位置関係を表しているが、左の基本キューブ（左）９と右の基本キューブ（右）１０のそれぞれのＡパーツに別の模様をつけて表している。
【００２９】
図８の（b）は完成立方体には８組の基本キューブを用いるが、基本キューブ（左）９が４組と基本キューブ（右）１０が４組を交互に配置することを表しており、これにより、星形二重正四面体構造（メタトロン立体）が完成立方体に内包されることになる。
【００３０】
図８の（c）は組み合わさった８組の基本キューブが、隣り合う基本キューブと、キューブ結合用粘着テープ４で屈曲可能に連結する一例を表している。
【００３１】
図８の（d）は組み合わさった８組の基本キューブの各面を色分けする例をわかりやすいようにＢパーツを非透視図で表している。
【００３２】
図８の（e）は完成立方体５で、Ｂパーツを透視図で表しているが、各面が色分けされてありながら、完成立方体に各基本キューブのＡパーツで構成された星形二重正四面体構造（メタトロン立体）が目視できる。
【００３３】
図９は本発明のスタート時の一例を表しているが、（a）と同じものを、裏から見たのが（b）である。
【００３４】
図１０は本発明の動きをわかりやすくするため、Ｂパーツを非透視図で表し、完成立方体の一面に「ア」「イ」「ウ」「エ」と記入したものであり、（a）から３組の基本キューブを屈曲させて開き、（d）の「ウ」と書いてある基本キューブの矢印のしめす場所を回転させたのが（e）と（ｆ）であるが、回転構造や屈曲構造により形遊びや色合わせ遊びができることがわかる。
【００３５】
図１１〜図１５は本発明の形遊びをわかりやすくするため、Ｂパーツを非透視で色の違いとキューブ結合用粘着テープ４を省略して表したものである。
【００３６】
図１１の（a）「Ｈ」、（b）「Ｓ」、（c）「Ｕ」は形遊びで文字を作っている例であり、（d）は「犬」を、（e）は（d）の「犬」を別の視点から表している。
【００３７】
図１２はキューブ結合用粘着テープの位置によって基本キューブが斜めになることを利用して形遊びをしている様子であるが、（a）（b）は「学校」、（c）は「花」であるが、（d）はＢパーツの回転構造を利用して「花」の花びら部分や葉っぱ部分を表している。
【００３８】
図１３はキューブ結合用粘着テープによる屈曲構造とＢパーツの回転構造を同時に利用することで、基本キューブ同士が斜めの位置になることを利用して形遊びをしている様子であるが、（a）は「半円」、（b）は「円」、（c）は（b）を真上から見た図である。
【００３９】
図１４は（a）、（b）はどちらも形遊びで同じ「竜」を表しているが、（b）は屈曲構造と回転構造を利用しているため形が複雑で、全長も比較して伸びている様子を表している。
【００４０】
図１４の（a）は、図１１の（c）と同じ「Ｕ」の文字であるが、図１４の（b）は屈曲構造を使って「Ｕ」の文字のカーブ部分を表し、（c）は屈曲構造と回転構造を同時に使って「Ｕ」の文字のカーブ部分を表しているが、工夫により複雑な形遊びが可能になることがわかる。
【符号の説明】
【００４１】
１  Ａパーツ  
２  Ｂパーツ  
３  基本キューブ     
４  キューブ結合用粘着テープ       
５  完成立方体       
６  軸および留め具   
７  Ａパーツ各面の中心部    
８  Ｂパーツ底面の中心部    
９  基本キューブ（左）      
１０  基本キューブ（右）    
【図面の簡単な説明】
【００４２】
【図１】本発明の概要を示した図である。（a）は本発明の基本キューブの構造を表す図である。       （b）は任意の場所を色分けしてありながら半透明で内包された正四面体が目視できる基本キューブを８組連結したスタート図の一例である。       （c）、（d）は基本キューブの回転構造と屈曲構造による動きを表す図である。       （e）は本発明品の完成立方体５を表す図である。
【図２】本発明の基本キューブのＡパーツとＢパーツの構成と、回転構造を表す図である。
【図３】本発明の基本キューブの回転構造と色の変化を表す図である。（非透視図）
【図４】本発明の連結した２組の基本キューブの屈曲構造と色の変化を表す図である。（非透視図）
【図５】本発明の連結した２組の基本キューブの屈曲構造と回転構造と色の変化を表す図である。（非透視図）
【図６】本発明の連結した４組の基本キューブの屈曲構造と回転構造と色と形の変化を表す図である。（非透視図）
【図７】本発明の連結した４組の基本キューブの屈曲構造と回転構造と色と形の変化を表す図である。（非透視図）
【図８】本発明の基本キューブを８組連結する方法の一例を表す図である。
【図９】本発明のスタート図の一例である。（非透視図）
【図１０】本発明の基本キューブの回転構造と屈曲構造による動きを表す図である。（非透視図）
【図１１】本発明の形遊びの例である。（非透視図、色、結合テープ省略）
【図１２】本発明の形遊びの例である。（非透視図、色、結合テープ省略）
【図１３】本発明の形遊びの例である。（非透視図、色、結合テープ省略）
【図１４】本発明の形遊びの例である。（非透視図、色、結合テープ省略）
【図１５】本発明の形遊びの例である。（非透視図、色、結合テープ省略）
【図１】
2019022543.tif 000003
【図２】
2019022543.tif 000004
【図３】
2019022543.tif 000005
【図４】
2019022543.tif 000006
【図５】
2019022543.tif 000007
【図６】
2019022543.tif 000008
【図７】
2019022543.tif 000009
【図８】
2019022543.tif 000010
【図９】
2019022543.tif 000011
【図１０】
2019022543.tif 000012
【図１１】
2019022543.tif 000013
【図１２】
2019022543.tif 000014
【図１３】
2019022543.tif 000015
【図１４】
2019022543.tif 000016
【図１５】
2019022543.tif 000017